(57)【要約】【課題】モニタを吊り下げるための天井工事費用を削減し、天板の長手方向のスライドに伴い点滴台等のアクセサリーがモニタの後方を移動するＸ線撮像装置を提供する。【解決手段】検診台５は、床面に設置され鉛直方向に伸縮可能な基台６と、その上方で天板基台７を介して水平方向にスライド可能に取り付けられた天板８で構成され、術者Ｄから見て天板８の対向側に配設された上レール８ａにモニタ９を支持するモニタ台９ａが滑動可能に跨架され、奥レール８ｂに点滴台１１が固定されている。モニタ台９ａにはタイミングベルト２０が取り付けられており、該タイミングベルト２０は天板８が天板長手方向にスライドした場合、反対方向に同じ距離だけ移動する構造を有しておりモニタ９は位置を変えない。【選択図】          図１
2010099162.tif 000002
【特許請求の範囲】
【請求項１】
天板に載置された被検者にＸ線を照射するＸ線管と、前記天板を天板長手方向にスライド可能に支持台に支持してなる検診台と、被検者を透過したＸ線を検出するＸ線像検出器と、得られたＸ線透過像を表示するモニタからなるＸ線撮像装置において、前記モニタを前記天板にて保持する保持手段を備えたことを特徴とするＸ線撮像装置。
【請求項２】
前記モニタを前記天板が保持する保持手段は前記天板の長手方向のスライドに際し前記モニタの対床位置が一定となる位置固定手段を有することを特徴とする請求項１記載のＸ線撮像装置。
【請求項３】
前記天板に支持される前記モニタ以外の機器はモニタに対して被検者載置の天板と反対側における天板に支持され、前記天板の長手方向のスライドとともに移動することを特徴とする請求項１記載のＸ線撮像装置。
【請求項４】
前記天板の長手方向のスライドに際し前記モニタの対床位置が一定となる位置固定手段は、前記天板に配設される２個のプーリにより張架されたタイミングベルトと、前記タイミングベルトに固定され前記モニタを支持し滑動可能にレールに跨架されたモニタ台と、軸が回転可能に前記天板に支持され前記タイミングベルトと歯合する歯付プーリと、前記歯付プーリと軸を介して固着されるギヤと、前記ギヤと歯合し前記天板の長手方向のスライドに際し対床位置が一定となる天板基台に固定されるラックで構成されることを特徴とする請求項２記載のＸ線撮像装置。
【請求項５】
前記天板の長手方向のスライドに際し前記モニタの対床位置が一定となる位置固定手段は、前記天板の長手方向のスライドに際し対床位置が一定となる天板基台に配設される２個のプーリにより張架されたベルトと、前記ベルトに固定され前記モニタを支持し滑動可能に前記レールに跨架されたモニタ台と、前記天板基台に固定されるラックと、前記ラックに歯合するピニオンギヤと、前記ピニオンギヤが回転可能に支持され突起部が前記ベルトに固定されるブロックと、前記ブロックを摺動可能に内包し前記天板基台に固定されるガイドで構成されることを特徴とする請求項２記載のＸ線撮像装置。
【請求項６】
前記天板に支持される前記モニタ以外の機器の支持手段は、前記レールに固着される奥レールと、前記奥レールの任意の位置に固定され前記機器を支持する台で構成されることを特徴とする請求項３記載のＸ線撮像装置。
【発明の詳細な説明】
【技術分野】
【０００１】
本発明は、Ｘ線撮像装置に係り、特に得られたＸ線透過像にしたがって被検者の施術を行う術者などがＸ線透過像を観察するためのモニタの配置に関する。
【背景技術】
【０００２】
従来、例えばＸ線血管撮影検査などで使用されるＸ線撮像装置は、図８に示すとおり、撮像装置本体１０と検診台７５で構成される。撮像装置本体１０はＣアーム基台４に回動可能に支持されたＣアーム３の両端にＸ線管１と例えばＦＰＤなどで構成されるＸ線像検出器２を配設して構成されている。検診台７５は、床面に設置され鉛直方向に伸縮可能な基台６と、その上方で天板基台７７を介して水平方向にスライド可能に取り付けられた天板７８で構成され、術者Ｄから見て天板７８の対向側に配設された図示しないレールに点滴台８１が保持され、点滴台８１の後方には天井に取り付けられた支柱の下端に支持されたモニタ７９が配設されている。Ｘ線管１とＸ線像検出器２を天板７８に載置された被検者を挟んで対向配置させ、Ｘ線管１からＸ線を照射しＸ線像検出器２でＸ線透過像を得、該Ｘ線透過像はモニタ７９に表示される。
【０００３】
一方、術者が画像表示モニタやモニタ台に妨げられることなく、Ｘ線透過像を手元で観察できるＸ線撮像装置が提供されている。当該Ｘ線撮像装置は、画像表示モニタとしてＸ線透過像の通常観察用に用いられるメイン画像表示モニタの他に、天板の側縁部に取り付けられたサブ画像表示モニタを備えているものである（例えば特許文献１参照）。
【特許文献１】特開２００６−１０９９９０号公報
【発明の開示】
【発明が解決しようとする課題】
【０００４】
図８に示すＸ線撮像装置は、モニタ７９を吊り下げるために天井工事が必要となりコストが高くなる。また、天板７８後部に取り付けられた点滴台８１あるいは造影剤注入器等のアクセサリーが天板７８の移動に伴いモニタ７９と術者Ｄとの間を移動するため、Ｘ線透過像の観察の障害となる。
【課題を解決するための手段】
【０００５】
本発明は、天板に載置された被検者にＸ線を照射するＸ線管と、前記天板を天板長手方向にスライド可能に支持台に支持してなる検診台と、被検者を透過したＸ線を検出するＸ線像検出器と、得られたＸ線透過像を表示するモニタからなるＸ線撮像装置において、前記モニタを前記天板にて保持する保持手段を備える。さらに、前記モニタを前記天板が保持する保持手段は前記天板の長手方向のスライドに際し前記モニタの対床位置が一定となる位置固定手段を有する。さらに、前記天板に支持される前記モニタ以外の機器は被検者載置の天板のモニタに対して反対側において支持され、前記天板の長手方向のスライドとともに移動する。
【０００６】
前記天板の長手方向のスライドに際し前記モニタの対床位置が一定となる位置固定手段は、前記天板に配設される２個のプーリにより張架されたタイミングベルトと、前記タイミングベルトに固定され前記モニタを支持し滑動可能に前記レールに跨架されたモニタ台と、軸が回転可能に前記天板に支持され前記タイミングベルトと歯合する歯付プーリと、前記歯付プーリと軸を介して固着されるギヤと、前記ギヤと歯合し前記天板の長手方向のスライドに際し対床位置が一定となる天板基台に固定されるラックで構成される。
【０００７】
さらに、前記天板の長手方向のスライドに際し前記モニタの対床位置が一定となる位置固定手段は、前記天板の長手方向のスライドに際し対床位置が一定となる天板基台に配設される２個のプーリにより張架されたベルトと、前記ベルトに固定され前記モニタを支持し滑動可能に前記レールに跨架されたモニタ台と、前記天板基台に固定されるラックと、前記ラックに歯合するピニオンギヤと、前記ピニオンギヤが回転可能に支持され突起部が前記ベルトに固定されるブロックと、前記ブロックを摺動可能に内包し前記天板基台に固定されるガイドで構成される。
【０００８】
さらに、前記天板に支持される前記モニタ以外の機器の支持手段は、前記レールに固着される奥レールと、前記奥レールの任意の位置に固定され前記機器を支持する台で構成される。したがって、天井工事は必要なくアクセサリー（モニタ以外の機器）によるモニタ観察の障害は生起しない。
【発明の効果】
【０００９】
モニタを天板に支持するために天井工事が不必要となりコストが安くなる。また、点滴台あるいは造影剤注入器等のアクセサリーが術者から見てモニタの後方に取り付けられ天板の移動に伴いモニタの後方を移動するため、Ｘ線透過像の観察の障害となるものが無く検診が効率よく行われる。
【発明を実施するための最良の形態】
【００１０】
タイミングベルトは背面に加えられるテンションに耐える構造を有する歯付ベルトで構成される。
【実施例１】
【００１１】
本発明の実施例１について図１〜図４を参照して説明する。図１は、本発明の実施例１、２によるＸ線撮像装置の概略構成を示す図である。図２は、本発明の実施例１によるモニタ９の位置固定手段と保持手段を説明する図である。図３は、モニタ９と点滴台１１の支持部の拡大図である。図４は、モニタ９の位置固定手段の主要部分の拡大図である。
【００１２】
本発明の実施例１によるＸ線撮像装置は、図１に示すとおり、撮像装置本体１０と検診台５で構成される。撮像装置本体１０はＣアーム基台４に回動可能に支持されたＣアーム３の両端にＸ線管１と例えばＦＰＤなどで構成されるＸ線像検出器２を配設して構成されている。検診台５は、床面に設置され鉛直方向に伸縮可能な基台６と、その上方で天板基台７を介して水平方向にスライド可能に取り付けられた天板８で構成され、術者Ｄから見て天板８の対向側に配設された上レール８ａにモニタ９を支持するモニタ台９ａが滑動可能に跨架され、さらに奥レール８ｂには点滴台１１が固定されている。Ｘ線管１とＸ線像検出器２を天板８に載置された被検者を挟んで対向配置させ、Ｘ線管１からＸ線を照射しＸ線像検出器２でＸ線透過像を得、該Ｘ線透過像はモニタ９に表示される。
【００１３】
検診台５を術者Ｄの反対側から見た図２において、下レール８ｃは図３に示すとおり天板８に固定された上レール８ａの下方に位置し、該下レール８ｃには、プーリ２１、２２と、図４に示すとおり軸２７を共有するギヤ２３と歯付プーリ２４と、アイドラー２５がそれぞれ回転可能に支持されている。なおギヤ２３と歯付プーリ２４とは軸２７を介して固着されている。外周面側にラック歯が付設されたエンドレスのタイミングベルト２０はプーリ２１、２２により張架され、図４に示すとおりアイドラー２５の付勢力を受けて歯付プーリ２４と歯合するとともに、図３に示すとおりモニタ９を支持し滑動可能に上レール８ａに跨架されたモニタ台９ａの下端に固定される。ギヤ２３は天板基台７に固定されるラック２６と歯合する。点滴台１１は上レール８ａに固着された奥レール８ｂの任意の位置に固定される。なお、図３、図４において図１、図２と同じ符号で示す部品は図１、図２と同じものなので説明は省略する。
【００１４】
本発明の実施例１は以上の構成であるから、天板８を矢印ａの方向にスライドすると、矢印ａの方向に移動しない天板基台７に固定されたラック２６に歯合するギヤ２３が矢印ｂの方向に回転する。この回転に伴いギヤ２３と軸２７を介して固着された歯付プーリ２４も矢印ｂの方向に回転しタイミングベルト２０を移動させプーリ２２を矢印ｃの方向に回転させる。ギヤ２３と歯付プーリ２４の径が同一であることから、前記天板８のスライドと前記タイミングベルト２０の上部の移動の大きさは同じであり方向は逆である。
【００１５】
したがって術者Ｄから見ると、天板８を天板長手方向にスライドさせてもモニタ９は停止状態を保ち、点滴台１１がモニタ９の後方を移動する。このため、Ｘ線透過像の観察の障害となるものが無く検診が効率よく行われる。また、モニタ９が支持されるモニタ台９ａは上レール８ａに跨架されるため、天井工事が不必要となりコストが安くなる。
【００１６】
図１、図４に示す実施例１では、ギヤ２３と歯付プーリ２４は軸２７を共有する一体構造であり術者Ｄから見てモニタ９の位置の変更は困難であるが、ギヤ２３と歯付プーリ２４の間にクラッチを設け該クラッチが開放の時歯付プーリ２４だけを回転させモニタ９の位置の変更をする構成でもよい。また、点滴台１１の代わりに造影剤注入器等のアクセサリーで置き換えても本発明は適用可能であり、本発明はこれら変形例を包含する。
【実施例２】
【００１７】
本発明の実施例２について図１、５、６、７を参照して説明する。図１は、本発明の実施例１、２によるＸ線撮像装置の概略構成を示す図である。図５は、本発明の実施例２によるモニタ９の位置固定手段と保持手段を説明する図である。図６は、モニタ９と点滴台１１の支持部の拡大図である。図７は、モニタ９の位置固定手段の主要部分の拡大図である。
【００１８】
本発明の実施例２によるＸ線撮像装置は、図１に示すとおり、撮像装置本体１０と検診台５で構成される。撮像装置本体１０はＣアーム基台４に回動可能に支持されたＣアーム３の両端にＸ線管１と例えばＦＰＤなどで構成されるＸ線像検出器２を配設して構成されている。検診台５は、床面に設置され鉛直方向に伸縮可能な基台６と、その上方で天板基台７を介して水平方向にスライド可能に取り付けられた天板８で構成され、術者Ｄから見て天板８の対向側に配設された上レール８ａにモニタ９を支持するモニタ台９ａが滑動可能に跨架され、奥レール８ｂに点滴台１１が固定されている。Ｘ線管１とＸ線像検出器２を天板８に載置された被検者を挟んで対向配置させ、Ｘ線管１からＸ線を照射しＸ線像検出器２でＸ線透過像を得、該Ｘ線透過像はモニタ９に表示される。
【００１９】
検診台５を術者Ｄの反対側から見た図５において、天板基台７には、プーリ台５９、６０を介してプーリ５１、５２が回転可能に支持され、さらにラック５６と、ガイド５８が固定されている。ガイド５８には図７に示すとおり摺動可能にブロック５７が内包される。ブロック５７には軸６１を介して回転可能にピニオンギヤ５３が支持され、該ピニオンギヤ５３はラック５６と歯合している。ベルト５０はプーリ５１、５２により張架され、図７に示すとおりブロック５７の突起部上端で固定され、図６に示すとおりモニタ９を支持し滑動可能に上レール８ａに跨架されたモニタ台９ａの下端で固定される。点滴台１１は奥レール８ｂの任意の位置に固定される。なお、図６、図７において図１、図５と同じ符号で示す部品は図１、図５と同じものなので説明は省略する。
【００２０】
本発明の実施例２は以上の構成であるから、天板８を天板長手方向にスライドすると、同じ方向には移動しない天板基台７に固定されたラック５６に歯合するピニオンギヤ５３を保持するブロック５７とガイド５８の摺動抵抗が、モニタ台９ａと上レール８ａの摺動抵抗より大きいため、ベルト５０は停止した状態を維持し、モニタ台９ａと上レール８ａの間で滑動が生起する。なお、ピニオンギヤ５３に取り付けた図示しないハンドルを手動で回しモニタ９の位置を変更できる。
【００２１】
したがって術者Ｄから見ると、天板８を天板長手方向にスライドさせてもモニタ９は停止状態を保ち、点滴台１１がモニタ９の後方を移動するため、Ｘ線透過像の観察の障害となるものが無く検診が効率よく行われる。また、モニタ９が支持されるモニタ台９ａは上レール８ａに跨架されているため、天井工事が不必要となりコストが安くなる。
【００２２】
図に示す実施例２では、ピニオンギヤ５３をハンドルを介して回転させモニタ９の位置を変更しているが、ピニオンギヤ５３をモータを介して回転させモニタ９の位置の変更をする構成でもよい。また、術者Ｄの操作側まで延長したレバーでピニオンギヤ５３を移動させモニタ９の位置の変更をしても本発明は適用可能であり、本発明はこれら変形例を包含する。
【産業上の利用可能性】
【００２３】
本発明は、Ｘ線撮像装置に係り、特に得られたＸ線透過像にしたがって被検者の施術を行う術者などがＸ線透過像を観察するためのモニタの配置に関し利用の可能性がある。
【図面の簡単な説明】
【００２４】
【図１】本発明の実施例１、２によるＸ線撮像装置の概略構成を示す図である。
【図２】本発明の実施例１によるモニタの位置固定手段と保持手段を説明する図である。
【図３】モニタと点滴台の支持部の拡大図である。
【図４】モニタの位置固定手段の主要部分の拡大図である。
【図５】本発明の実施例２によるモニタの位置固定手段と保持手段を説明する図である。
【図６】モニタと点滴台の支持部の拡大図である。
【図７】モニタの位置固定手段の主要部分の拡大図である。
【図８】従来のＸ線撮像装置の概略構成を示す図である。
【符号の説明】
【００２５】
１  Ｘ線管
２  Ｘ線像検出器
３  Ｃアーム
４  Ｃアーム基台
５  検診台
６  基台
７  天板基台
８  天板
８ａ  上レール
８ｂ  奥レール
８ｃ  下レール
９  モニタ
９ａ  モニタ台
１０  撮像装置本体
１１  点滴台
２０  タイミングベルト
２１  プーリ
２２  プーリ
２３  ギヤ
２４  歯付プーリ
２５  アイドラー
２６  ラック
２７  軸
５０  ベルト
５１  プーリ
５２  プーリ
５３  ピニオンギヤ
５６  ラック
５７  ブロック
５８  ガイド
５９  プーリ台
６０  プーリ台
６１  軸
７５  検診台
７７  天板基台
７８  天板
７９  モニタ
８１  点滴台
Ｄ  術者
【図１】
2010099162.tif 000003
【図２】
2010099162.tif 000004
【図３】
2010099162.tif 000005
【図４】
2010099162.tif 000006
【図５】
2010099162.tif 000007
【図６】
2010099162.tif 000008
【図７】
2010099162.tif 000009
【図８】
2010099162.tif 000010